(57)【要約】  【解決課題】  高次応答レベルでの減衰効果を発揮し、床板材上から床基盤に伝播する衝撃を抑制することができる二重床の支持脚用緩衝ゴムを提供する。  【解決手段】  支持脚用緩衝ゴム１０は、支持脚用緩衝ゴム上体Ａと、支持脚用緩衝ゴム下体Ｂと、両者の間に設けられた衝撃緩衝層Ｃと、からなる。支持脚用緩衝ゴム上体Ａは、上面に支持脚受坑Ａ１を有し、下面に複数の同心円状突部Ａ２を有する断面台形の中実切頭円錐体のゴム成形体である。支持脚用緩衝ゴム下体Ｂは、支持脚用緩衝ゴム上体Ａを嵌合させる凹部Ｂ１を有する断面台形の切頭円錐体のゴム成形体である。衝撃緩衝層Ｃは、支持脚用緩衝ゴム上体Ａを支持脚用緩衝ゴム下体Ｂの凹部Ｂ１に挿嵌することにより形成される。【選択図】  図３
2005188092.tif 000002
【特許請求の範囲】
【請求項１】
支持脚用緩衝ゴム上体と、支持脚用緩衝ゴム下体と、該支持脚用緩衝ゴム上体と該支持脚用緩衝ゴム下体との間に設けた衝撃緩衝層と、を含むことを特徴とする二重床の支持脚用緩衝ゴム。
【請求項２】
前記支持脚用緩衝ゴム上体と、前記支持脚用緩衝ゴム下体とは、互いに異なる硬度を有することを特徴とする請求項１に記載の二重床の支持脚用緩衝ゴム。
【請求項３】
前記衝撃緩衝層は、空気層又は衝撃吸収層からなることを特徴とする請求項１又は２に記載の二重床の支持脚用緩衝ゴム。
【請求項４】
前記支持脚用緩衝ゴム上体と前記支持脚用緩衝ゴム下体とは嵌合可能であることを特徴とする請求項１〜３のいずれか１項に記載の二重床の支持脚用緩衝ゴム。
【請求項５】
前記支持脚用緩衝ゴム上体は、支持脚を受け入れる支持脚受坑を有する中実のゴム成形体からなり、前記支持脚用緩衝ゴム下体は、支持脚用緩衝ゴム上体の少なくとも底部が嵌合する内径寸法を有する凹部及び床基盤に接する接地面を有するゴム成形体からなる、請求項１〜４のいずれか１項に記載の二重床の支持脚用緩衝ゴム。
【請求項６】
前記支持脚用緩衝ゴム下体の接地面には、複数の同心円状突部が形成されている、請求項５に記載の二重床の支持脚用緩衝ゴム。
【発明の詳細な説明】
【技術分野】
【０００１】
本発明は、床基盤の上に支持脚を介して床板材を載設する二重床構造において、床板材上から床基盤に伝播する衝撃を抑制する支持脚用緩衝ゴムに関する。
【背景技術】
【０００２】
一般的な二重床構造は、図１の概略側面図に示すように、コンクリートスラブなどの床基盤１の上方の所定高さ位置に床板材２を支持するために、床基盤１と床板材２との間に、支持脚３を介設してなる。通常、支持脚３の高さは数十ｍｍ〜数百ｍｍ程度である。支持脚３は、床基盤１に接する支持脚用緩衝ゴム４と、支持脚用緩衝ゴム４の上部に設けられている坑部に下端部を挿通する金属又は硬質樹脂製の脚部５と、場合によっては脚部５の上端部を挿通させる孔を有し床板材２を載設させる床板受け部６と、からなる。支持脚用緩衝ゴム４は、通常のゴム弾性を有する高分子化合物であり、例えば、ブタジエン−スチレン系ゴム、ブチル系ゴム、ニトリル系ゴム等の各種ゴムでよい。支持脚用緩衝ゴム４は、その底面周縁部７にて床基盤１と接し、両者の間に空間部８を形成するように構成されている。しかし、床上から瞬間的に強い衝撃が加わると、空間部８の空気が圧縮を受け、反動で膨張することを繰り返すいわゆる空気バネ作用が生じて、振動及び音が周囲に伝達しやすい。
【０００３】
そこで、底面周縁部７に空間部８からの空気を逃がす空気逃出孔を設け、空気バネ作用による振動及び音の伝達を抑制する防振ゴムが提案されている（特許文献１）。
しかし、従来の防振ゴムでは、床上から衝撃が加えられた直後の一次応答レベルでの減衰効果はあるものの、その後の高次応答レベルでの有効な減衰効果が得られていないのが実状である。
【特許文献１】特開２００３−１３５９１号公報
【発明の開示】
【発明が解決しようとする課題】
【０００４】
そこで、本発明は、床基盤の上に支持脚を介して床板材を載設する二重床構造において、床上からの衝撃による床面の振動時間を短縮し、高次応答レベルでの減衰効果を発揮し、床板材上から床基盤に伝播する衝撃を抑制することができる支持脚用緩衝ゴムを提供することを目的とする。
【課題を解決するための手段】
【０００５】
本発明によれば、支持脚用緩衝ゴム上体と、支持脚用緩衝ゴム下体と、該支持脚用緩衝ゴム上体と該支持脚用緩衝ゴム下体との間に設けた衝撃緩衝層と、を含むことを特徴とする二重床の支持脚用緩衝ゴムが提供される。
【０００６】
本発明において、支持脚用緩衝ゴム上体と支持脚用緩衝ゴム下体との間に衝撃緩衝層を設けたことにより、床上から加えられた衝撃をまず支持脚用緩衝ゴム上体で吸収して減衰させ、次いで、減衰された衝撃を衝撃緩衝層で緩和させると同時に衝撃緩衝層自体の変形により振動を抑制し、さらに、支持脚用緩衝ゴム下体で吸収して減衰させることができ、床基盤に伝播する衝撃を著しく減衰させることができる。
【０００７】
本発明で用いることができる支持脚用緩衝ゴム上体及び下体としては、通常のゴム弾性を有する高分子化合物、例えばブタジエン−スチレン系ゴム、ブチル系ゴム、ニトリル系ゴム、クロロプレン系ゴム、ウレタン系ゴム、シリコーン系ゴム等を好ましく挙げることができる。支持脚用緩衝ゴム上体及び下体を構成するゴムの硬度としては、ＪＩＳ  Ｋ  ６３０１に規定される試験方法に基づいて、硬度Ｈｓ４５゜以上９０゜以下であることが好ましく、Ｈｓ５５゜以上７５゜以下であることがより好ましい。硬度Ｈｓ４５゜よりも低いと、床上からの衝撃に対する沈み込みの抑制効果が小さく、硬度Ｈｓ９０゜よりも高いと、衝撃振動を緩和する効果が小さい。
【０００８】
本発明において、支持脚用緩衝ゴム上体と支持脚用緩衝ゴム下体とは、互いに異なる硬度を有することが好ましく、床上から加えられると予測される衝撃が重量衝撃であるか、軽量衝撃であるか、など用途に応じて種々の組合せの硬度を採用することができる。支持脚用緩衝ゴム上体と支持脚用緩衝ゴム下体とが異なる硬度を有する場合の組合せとしては、上体のゴム硬度が６０Ｈｓで下体のゴム硬度が６５Ｈｓ、上体のゴム硬度が６０Ｈｓで下体のゴム硬度が５５Ｈｓなどが好ましい。
【０００９】
支持脚用緩衝ゴム上体と支持脚用緩衝ゴム下体とは、両者の間に衝撃緩衝層を設けることができるように、嵌合可能であることが好ましい。例えば、支持脚用緩衝ゴム上体が柱体又は切頭円錐体若しくは切頭角錐体であり、支持脚用緩衝ゴム下体が支持脚用緩衝ゴム上体の少なくとも底面の径と同じ寸法の径部分を有する凹部を備えた断面台形の切頭円錐体若しくは切頭角錐体であることが好ましい。支持脚用緩衝ゴム下体において、支持脚用緩衝ゴム上体の少なくとも底面の径と同じ寸法の径部分は、凹部の底面に近接した位置に設けられていることがより好ましく、例えば凹部の高さが８ｍｍの場合には凹部底面から１〜２ｍｍ程度の位置に設けられていることが好ましい。また、支持脚用緩衝ゴム上体が円柱体又は切頭円錐体である場合には、支持脚用緩衝ゴム下体は切頭円錐形であり、支持脚用緩衝ゴム上体が角柱体又は切頭角錐体である場合には、支持脚用緩衝ゴム下体は切頭角錐形であることが好ましい。
【００１０】
支持脚用緩衝ゴム上体は、支持脚を受け入れる支持脚受坑を有する中実のゴム成形体であることが好ましい。支持脚受坑は、支持脚を挿嵌させることができる形状及び寸法であることが好ましく、支持脚を介して伝播する床上からの衝撃による振動を直接支持脚用緩衝ゴム上体に伝播させて吸収させる。
【００１１】
支持脚用緩衝ゴム下体は、さらに、床基盤に接する接地面を有するゴム成形体からなることが好ましい。この接地面には、複数の同心円状突部が形成されていることが好ましく、床基盤との設置面積を少なくして、床基盤への衝撃伝達をさらに抑制することができる。
【００１２】
本発明において、支持脚用緩衝ゴム上体と支持脚用緩衝ゴム下体との間に設けられている衝撃緩衝層は、空気層又は衝撃吸収層からなることが好ましい。
空気層は、支持脚用緩衝ゴム上体と支持脚用緩衝ゴム下体との間に空隙部を残すように、両者を嵌合することにより、両者の間に形成することができる。空気層は、空気が圧縮された状態での軽い密閉状態となるように形成されることが好ましい。これにより、衝撃が加えられた瞬間に、上体と下体とは押圧されて、両者の間の空隙部が空気の抜け道となり、密閉状態で圧縮されていた空気が抜けることでクッションとなって衝撃をより緩和することができる。衝撃を受けた後は、一度抜けた空気が上体と下体との間に形成される負圧により再び吸引されて、空気層を形成し、元の状態に戻る。
【００１３】
衝撃吸収層は、支持脚用緩衝ゴム上体と支持脚用緩衝ゴム下体とを嵌合した際に、両者の間に充填された状態となるように設けられることが好ましい。例えば、支持脚用緩衝ゴム下体の凹部にブチルコーキング材などの適切なコーキング材を充填しておくことにより形成することができる。衝撃吸収層を形成することができる物質としては、粘着性物質、発泡体及び不織布を好ましく挙げることができる。粘着性物質としては、スチレンーブタジエンゴム、ポリブタジエンゴム、アクリルニトリルーブタジエンゴム、ポリイソプレンゴム、クロロプレンゴム、イソブチレンーイソプレンゴム、エチレンープロピレンゴム等のゴムと、軟化剤と、粘着付与剤と、充填材との混合物（商品名：SR-6000；埼玉ゴム製）などを好ましく挙げることができる。軟化剤、粘着付与剤及び充填剤としては、本分野で一般的に用いられるものを使用することができる。発泡体としては、ポリオレフィン系樹脂、ウレタンゴム、アクリルゴム、ブタジエンゴム、ｍスチレン−ブタジエンゴム、アクリルニトリル−ブタジエンゴム、ポリイソプレンゴム、クロロプレンゴム、イソブチレン−イソプレンゴム、エチレン−プロピレンゴムを原料とした厚さ０．１ｍｍ〜５ｍｍの発泡体を好ましく挙げることができる。不織布としては、ポリエステル、レーヨン、ポリオレフィン、ポリエステル・ビニロン、ポリエステル・アクリル、ポリエステルーレーヨン、ポリエステル・ポリオレフィン、ポリエステル・ナイロン・レーヨン等を原料とした厚さ０．１ｍｍ〜５ｍｍのものを好ましく挙げることができる。
【００１４】
衝撃緩衝層は、支持脚用緩衝ゴム上体と支持脚用緩衝ゴム下体との間に形成されればよく、単数でも複数でもよい。例えば、支持脚用緩衝ゴム上体の底面及び支持脚用緩衝ゴム下体の凹部底面を平坦な面とした場合には、一層の衝撃緩衝層が形成される。例えば、支持脚用緩衝ゴム上体の底面又は支持脚用緩衝ゴム下体の凹部底面に複数の同心円状突部を形成した場合には、支持脚用緩衝ゴム上体底面と支持脚用緩衝ゴム下体凹部との間に同心円状突部によって区画された複数の衝撃緩衝層が形成される。
【００１５】
本発明の支持脚用緩衝ゴムは、一般的な二重床構造に用いることができる。例えば、床板材としては、木質単板からなる床板材、上面に木質化粧板を粘着させた木質合板、パーティクルボードあるいは硬質樹脂板からなる床板材、下面側から上面側に向けて多数のスリットを刻成した木質合板からなる床板材、木質合板に弾性板（樹脂、ゴムなどの板状成形体）、遮音シート、あるいは有機・無機の繊維を絡み合わせたマット状成形体などを積層一体化してなる床板材あるいはさらに下にベース板（パーティクルボード、石膏ボード、軽量セメントボードなど）を配設してなる床板材、リノタイルなどの比較的軟質の材料を最上層に配設してなる床板材、及び各種緩衝板の多層構造からなる床板材などを好ましく挙げることができる。
【００１６】
本発明の支持脚用緩衝ゴムの好ましい実施形態を図２及び３に示す。図２は、本発明の支持脚用緩衝ゴムの斜視図であり、図３は、本発明の支持脚用緩衝ゴムの断面図である。
図２及び３において、本発明の支持脚用緩衝ゴム１０は、支持脚用緩衝ゴム上体Ａと、支持脚用緩衝ゴム下体Ｂと、両者の間に設けられた衝撃緩衝層Ｃと、からなる。支持脚用緩衝ゴム上体Ａは、上面に支持脚（点線で示す）を受け入れる支持脚受坑Ａ１を有し、下面に複数の同心円状突部Ａ２を有する断面台形の中実切頭円錐体のゴム成形体である。支持脚用緩衝ゴム下体Ｂは、支持脚用緩衝ゴム上体Ａを嵌合させる凹部Ｂ１を有する断面台形の切頭円錐体のゴム成形体である。凹部Ｂ１は、支持脚用緩衝ゴム上体Ａの底面の径と同寸法の径部分Ｂ２が凹部Ｂ１底面に近接した位置（図示した実施形態においては、凹部Ｂ１の深さ８ｍｍに対して、底面から１〜２ｍｍの高さ位置）になるように構成されている。衝撃緩衝層Ｃは、支持脚用緩衝ゴム上体Ａ底面に設けられている複数の同心円状突部Ａ２と、支持脚用緩衝ゴム下体Ｂの凹部Ｂ１底面との間に形成される。
【００１７】
以下、実施例を参照しながら、本発明を更に詳細に説明するが、本発明はこれらに限定されるものではない。
【実施例１】
【００１８】
支持脚用緩衝ゴム上体Ａを天然ゴム、炭酸カルシウム、軟化剤、カーボン、加硫剤から形成したゴムで、底面直径４０ｍｍ、上面直径３５ｍｍ、高さ２５ｍｍの断面台形で、上面に径１５ｍｍ、深さ１２ｍｍの支持脚受坑を有する中実切頭円錐体として成形した。支持脚用緩衝ゴム下体Ｂを天然ゴム、炭酸カルシウム、軟化剤、カーボン、加硫剤から形成したゴムで、底面直径５０ｍｍ、上面直径４６ｍｍ、高さ１４ｍｍの断面台形で、上面側には底面直径４０ｍｍ、開口直径４０ｍｍ、深さ８ｍｍの凹部を有する切頭円錐体として成形した。支持脚用緩衝ゴム上体Ａ及び下体Ｂの硬度は共にＨｓ６０゜とした。
【００１９】
支持脚用緩衝ゴム下体Ｂの凹部に、支持脚用緩衝ゴム上体Ａを挿嵌して、両者の間に高さ１〜２ｍｍ程度の衝撃緩衝層Ｃを形成させ、本発明の支持脚用緩衝ゴムを製造した。
【実施例２】
【００２０】
支持脚用緩衝ゴム上体Ａのゴム硬度をＨｓ６０゜とし、ゴム下体Ｂのゴム硬度をＨｓ５５゜とした以外は、実施例１と同様にして、支持脚用緩衝ゴム下体Ｂの凹部に、支持脚用緩衝ゴム上体Ａを挿嵌して、両者の間に高さ１〜２ｍｍ程度の衝撃緩衝層Ｃを形成させ、本発明の支持脚用緩衝ゴムを製造した。
【実施例３】
【００２１】
実施例２の支持脚用緩衝ゴム下体Ｂの凹部に、直径４０ｍｍ、厚さ３ｍｍの不織布（ＡＫ−９７０１；旭化成工業製）を挿入し、さらに支持脚用緩衝ゴム上体Ａを嵌挿して、不織布からなる衝撃緩衝層Ｃを有する本発明の支持脚用緩衝ゴムを製造した。
【００２２】
床衝撃音遮断性能及び振動減衰特性
実施例１〜３で得られた支持脚用緩衝ゴムの床衝撃音遮断性能及び実施例２で得られた支持脚用緩衝ゴムの振動減衰特性を評価した。
【００２３】
床板材には木質化粧板１２ｍｍ／木質合板１２ｍｍ／パーティクルボード２０ｍｍの積層体（総厚み４４ｍｍ）を用い、支持脚として通常の合成樹脂製又は金属製の支持脚を用いて、実施例１及び２で得られた支持脚用緩衝ゴムに挿嵌して、図４に示すように二重床を構築し、床衝撃音遮断性能及び振動減衰特性を測定した。対照として、底面直径４０ｍｍ、上面直径３５ｍｍ、高さ２１ｍｍの断面台形で、上面に径２５ｍｍ、深さ１２ｍｍの支持脚受坑を有する中実の切頭円錐体の支持脚用緩衝ゴムを用いて、同様に二重床を構築し、床衝撃遮断性能及び振動減衰特性を測定した。
【００２４】
床衝撃音遮音性能は、ＪＩＳ  Ａ  １４１８−１に規定されている方法に準拠して行い、軽量衝撃音１２５Ｈｚ、２５０Ｈｚと、重量衝撃音６３Ｈｚの音の遮断性能を測定した。結果を表１に示す。
【００２５】
【表１】
2005188092.tif 000003
【００２６】
表１より、本発明の支持脚用緩衝ゴムを用いると、軽量衝撃音及び重量衝撃音の両者において衝撃音遮断性能に改善が見られ、特に重量衝撃音においては８．２ｄＢの改善（Ｌ値で１ランクの向上）がなされたことがわかる。
【００２７】
振動減衰特性は、床板材上に振動ピックアップを設置して、ＪＩＳ  Ａ  １４１８−１に規定されている方法に準拠して、重量衝撃を与えた際の振動加速度レベルの減衰特性を測定した。結果を図５に示す。図５は、１Ｈｚ〜１２５Ｈｚでの全周波数の振動加速度レベルの合成値で示すオールパスレベルでの減衰曲線である。図５中、実線は実施例１の支持脚用緩衝ゴムを用いた場合の振動加速度レベルの減衰曲線を示し、点線は従来の支持脚用緩衝ゴムを用いた場合の振動加速度レベルの減衰曲線を示す。
【００２８】
図５より、本発明の支持脚用緩衝ゴムを用いた場合には、振動を与えた直後の一次応答レベルばかりでなく、その後の高次応答レベルでの振動加速度レベルの減衰が大きく、振動を与えた後の同じ経過時間で比較すると約５ｄＢの減衰が見られる。
【産業上の利用可能性】
【００２９】
本発明の支持脚用緩衝ゴムは、優れた床衝撃音遮断性能、特に重量衝撃音に対する床衝撃音遮断性能、並びに一次応答レベルばかりでなく高次応答レベルでの振動減衰特性を示すので、二重床構造への適用に有利である。
【図面の簡単な説明】
【００３０】
【図１】図１は、一般的な二重床構造を示す説明図である。
【図２】図２は、本発明の支持脚用緩衝ゴムの一実施形態を示す斜視図である。
【図３】図３は、本発明の支持脚用緩衝ゴムの一実施形態を示す断面図である。
【図４】図４は、本発明の支持脚用緩衝ゴムを適用した二重床構造を示す概略説明図である。
【図５】図５は、実施例２における振動加速度レベルの減衰曲線である。
【符号の説明】
【００３１】
１：床基盤
２：床板材
３：支持脚
４：支持脚用緩衝ゴム（従来品）
５：脚部
６：床板受け部
７：底面周縁部
８：空間部
１０：本発明の支持脚用緩衝ゴム
Ａ：支持脚用緩衝ゴム上体
Ｂ：支持脚用緩衝ゴム下体
Ｂ１：凹部
Ｃ：衝撃緩衝層
【図１】
2005188092.tif 000004
【図２】
2005188092.tif 000005
【図３】
2005188092.tif 000006
【図４】
2005188092.tif 000007
【図５】
2005188092.tif 000008